(57)【特許請求の範囲】
【請求項１】
配線等が配設される実験用什器であって、内側面を対向させた状態で左右方向に互いに離間して配置され、床面上あるいは机上に立設される一対の支柱本体と、前記一対の支柱本体間に架け渡された中間棚板と、一対の前記支柱本体間に上下方向に移設可能に連結され少なくとも配線が配設可能な中空状の横配線ダクトと、を備え、前記支柱本体には上下方向に延在する配線用の配設溝が形成され、該配設溝に配設溝との間に上下方向に延在する配設空間を形成するカバー部材が着脱自在に固定され、該カバー部材には、前記中間棚板を上下方向に移設自在に支持するための複数の係止孔と、カバー部材の一部を前後方向に絞り込むように形成したスリット孔を備え、該スリット孔は、配設空間内部と配設空間外部を連通させるとともに、配設空間内部と横配線ダクトの側面に設けられた開口部とを連通させ、かつ、横配線ダクトの上下移設に対応すべく上下方向に長く形成されたことを特徴とする実験用什器。
【発明の詳細な説明】
【技術分野】
【０００１】
本発明は、主に研究所や大学等の研究室等に設置され、実験作業や、作業平面として使用したり、実験用器具や実験用機器を載置したりする実験用什器に関するものである。
【背景技術】
【０００２】
従来、研究所や大学あるいは企業等の研究室等には、実験を行うために実験台が設置されている。
通常、これら実験台は、様々な実験用器具や実験用機器を載置した上で、実験作業を行い易くしたりするために、作業平面を広く確保することが求められており、そのため、作業用天板の後方側に、左右一対で立設される支柱間に実験用器具や実験用機器を載置したりする棚板や収納棚が設けられた実験台が広く知られている。
また、左右一対で立設される支柱間には実験用機器用のコンセントを設けることも広く知られている。
そして、このような実験台は、使用する機器や、実験の種別によって棚板の高さやコンセントの位置などを移動させることがある。
そのため、前記支柱には、高さ調整が可能なように施された、棚板、棚収納の設置部、コンセント装置の設置部材、配線用ダクト、配線取り出し口といった機能を組み込むことが求められるため支柱構成が複雑化する傾向にある。（例えば、特許文献１参照。）
【先行技術文献】
【特許文献】
【０００３】
【特許文献１】特開平８−１３１８５１公報
【発明の概要】
【発明が解決しようとする課題】
【０００４】
本願発明は、このような問題に鑑み、簡単な構成で、配線の配設、棚板設置、コンセント装置等の電気器具設置用の部材の設置が可能な実験台を提供することを課題とするものである。
【課題を解決するための手段】
【０００５】
そこで、上記課題を解決する為、本発明が第１の手段として構成したところは、配線等が配設される実験用什器であって、内側面を対向させた状態で左右方向に互いに離間して配置され、床面上あるいは机上に立設される一対の支柱本体と、前記一対の支柱本体間に架け渡された中間棚板と、一対の前記支柱本体間に上下方向に移設可能に連結され少なくとも配線が配設可能な中空状の横配線ダクトと、を備え、前記支柱本体には上下方向に延在する配線用の配設溝が形成され、該配設溝に配設溝との間に上下方向に延在する配設空間を形成するカバー部材が着脱自在に固定され、該カバー部材には、前記中間棚板を上下方向に移設自在に支持するための複数の係止孔と、カバー部材の一部を前後方向に絞り込むように形成したスリット孔を備え、該スリット孔は、配設空間内部と配設空間外部を連通させるとともに、配設空間内部と横配線ダクトの側面に設けられた開口部とを連通させ、かつ、横配線ダクトの上下移設に対応すべく上下方向に長く形成されたものである。
【発明の効果】
【０００６】
第１の手段として構成したところによると、カバー部材は、配設溝のカバー機能、中間棚の支持機能、横配線ダクトへの配線機能を兼ね備えているため、部品点数が少なくでき、コスト面、製造面、施工面での効率がよい。
さらに、横配線ダクトの取り付け高さを変更したとしても、カバー部材のスリット孔は、上下方向に長尺に形成されているので、配設溝内と横配線ダクトを連通している配線は、連通状態のまま、上下方向に移動することができるので、横配線ダクトを上下方向に移動させるたびに配線の引き込み作業をやり直す必要がない。
【図面の簡単な説明】
【０００７】
【図１】本発明の実験台の正面図。
【図２】本発明の実験台の右側面図。
【図３】図１のＡ−Ａ線断面図。
【図４】図１のＢ−Ｂ線断面図。
【図５】要部拡大斜視図。
【図６】要部拡大分解斜視図。
【図７】棚受け金具の斜視図。
【図８】図４のＣ部拡大図。
【図９】図３のＤ部拡大図。
【図１０】横配線ダクトを最下部に取り付けた状態を示す要部拡大断面図。
【図１１】横配線ダクトを最上部に取り付けた状態を示す要部拡大断面図。
【発明を実施するための形態】
【０００８】
本発明は、配線等が配設される実験用什器であって、内側面を対向させた状態で左右方向に互いに離間して配置され、床面上あるいは机上に立設される一対の支柱本体と、前記一対の支柱本体間に架け渡された中間棚板と、一対の前記支柱本体間に上下方向に移設可能に連結され、少なくとも配線が配設可能な中空状の横配線ダクトと、を備え、前記支柱本体には上下方向に延在する配線用の配設溝が形成され、該配設溝に配設溝との間に上下方向に延在する配設空間を形成させるカバー部材が着脱自在に固定され、該カバー部材には、前記中間棚板を上下方向に移設自在に支持するための複数の係止孔と、カバー部材の一部を前後方向に絞り込むように形成したスリット孔を備え、該スリット孔は、配設空間内部と配設空間外部を連通させるとともに、配設空間内部と横配線ダクトの側面に設けられた開口部とを連通させ、かつ、横配線ダクトの上下移設に対応すべく上下方向に長く形成されたものである。
【実施例１】
【０００９】
実施例を、添付図面に基づいて詳述する。
図１において、符号１００は本発明に係る実験用什器である実験台を示し、実験台１００は主に、左右に所定間隔を有して配設された一対の支柱脚１、１と、支柱脚１の前面あるいは後面に支持部材を介して設置される天板２と、天板２の上部で一対の支柱脚１間に取り付けられる中空状の横配線ダクト３と、中空状の横配線ダクト３の上部で一対の支柱本体１間に取り付けられる中間棚４と、支柱脚１の前面あるいは後面に支持部材を介し、表面が中間棚４と面一となるように設置される棚板５より構成されている。
【００１０】
支柱脚１は、主に、支柱本体１１と、支柱本体１１の下面に設けられる支持部６、６と、支柱本体１１の下部の前後方向に取り付けられる脚体７、７とで構成される。
そして、支柱脚１は、内側面を対向させた状態で左右方向に互いに離間して一対に配置され、支持部６、６、脚体７、７で支えられた状態で床面に立設している。
【００１１】
天板２は、平面視矩形状の板状のものであり、長手方向が一対の支柱脚１間に架け渡されるサイズに形成されている。
そして、天板２は、支柱脚１の前面あるいは後面に螺合もしくは係合によって取り付けられた左右一対のブラケット２１、２１に、天板２の左右両端付近の下面を載置させ、ブラケット２１、２１に螺合固定されている。
尚、ブラケット２１は、支柱脚１に対して上下移設可能に取り付けられており、ブラケット２１の取り付け高さを変えることにより、天板２の高さを変えることができる。
【００１２】
横配線ダクト３は、断面矩形状で中空状に形成され、一対の支柱脚１の支柱本体１１の対向面側に上下に複数個設けられた螺孔１１ａ・・・に左右両端がそれぞれ螺合固定される。
尚、横配線ダクト３は、前記螺孔１１ａを利用して、上下に移設可能とされる。
横配線ダクト３の両端側には開口部３１、３１が設けられており、横配線ダクト３の中間部の前後方向には配線取り出し用の取出口３２が複数個設けられており、該取出口３２には実験台１００の使用目的に合わせて適宜、コンセント３３やスイッチ器具３４等が設置される。
【００１３】
支柱脚１を形成する支柱本体１１は、上下方向に延在した平面視矩形状の部材であって、支柱本体１１の前述のとおり一対に立設する時の対向側面には、上下方向にわたり凹み形成された配設溝１１１が設けられている。
そして、支柱本体１１の前面と後面には、図５に示すようにＬ字状を成す係合鉤孔１１ｃが一定の間隔をあけ複数個上下方向にわたって設けられている。
【００１４】
支柱本体１１の配設溝１１１には、カバー部材１２が着脱自在に取り付けられる。
カバー部材１２は、上下方向に延在し、少なくとも支柱１の、天板２の上面から支柱1の上端に取り付けられる上部支柱繋ぎ９０の下面までの長さに設定され、配設溝１１１の凹み形状に対向するように断面コ字状に形成されたものであって、配設溝１１１の凹み形状とカバー部材１２のコ字状断面の開口側が対向するように、配設溝１１１にカバー部材１２を内包するように取り付けられることによって、図８に示すように、配設溝１１１とカバー部材１２とで上下方向に延在する配線空間１ａが形成される。
【００１５】
そして、カバー部材１２は、配設溝１１１の内面に前後方向に対向するように取り付けられた係合ピン１１ｂ、１１ｂ、１１ｂ、１１ｂに、カバー部材１２に設けられた鉤状係合孔１２ａ、１２ａ、１２ａ、１２ａを上方から引っ掛けることによって、支柱本体１１に対して着脱自在に取り付けられる。
【００１６】
そして、カバー部材１２の下方部の前面側と後面側の、横配線ダクト３の開口部３１に対応した箇所が、前後方向に絞り込まれるようにカバー部材１２の側面から切り欠かれ、該切り欠き部は、支柱本体１１にカバー部材１２が取り付けられた状態で、上下方向に長尺なスリット孔１２ｂ、１２ｂとされる。
また、カバー部材１２の、支柱本体１１を対向配置した時の対向面側となる正面１２１の内、前記スリット孔１２ｂの上方に、横長長方形状の中間棚板受け用角孔１２ｃが一定の間隔をあけ複数個上下方向、かつ、前後２列にわたって設けられている。
【００１７】
中間棚４は、平面視矩形状の板状のものであり、長手方向が一対の支柱脚１間に架け渡されるサイズに形成され、短手方向が支持脚１の支柱本体１１の前後寸法と同寸と形成されている。
そして、中間棚４は、前記カバー部材１２の中間棚板受け用角孔１２ｃに係合された棚受け金具４１を介して一対の支柱脚１、１間に架け渡される。
【００１８】
棚受け金具４１は、カバー部材１２の正面１２１の当接する平板状の基材４１ａと、基材４１ａの上端から一旦正面１２１側に延伸し、該延伸端から上方に向かって延伸する係合片４１ｂと、基材４１ａの下端から一旦正面１２１の反対側に延伸し、該延伸端から上方に向かって垂直に延伸する係合部４１ｃで構成されている。
【００１９】
そして、棚受け金具４１を水平に向け、係合片４１ｂの先端を、カバー部材１２の中間棚板受け用角孔１２ｃに差込み、棚受け金具４１を垂直に向けると、係合片４１ｂが棚板受け用角孔１２ｃ部に係合装着される。
該棚受け金具４１は、カバー部材１２に対して同じ高さで前後と対向面に４箇所装着される。
【００２０】
このように装着された棚受け金具４１の上方から中間棚４を棚受け金具４１の係合部４１ｃに載置する。
尚、係合部４１ｃの垂直片に係合する係合部が中間棚４の裏面に設けられているので中間棚４は前後方向に移動しない。
当然ながら、複数個設けられた中間棚板受け用角孔１２ｃに合わせて棚受け金具４１の装着位置を変更すると中間棚４の高さを変更することができる。
【００２１】
棚板５は、平面視矩形状の板状のものであり、長手方向が一対の支柱脚１、１間に架け渡されるサイズに形成されるものであって、支柱本体１１の係合鉤孔１１ｃに、係合爪５１ａを係合して着脱自在に取り付けられる左右一対の棚板ブラケット５１、５１に、棚板５の左右両端付近の下面を載置し、棚板ブラケット５１、５１に螺合固定されている。
尚、棚板ブラケット５１は、支柱本体１１の複数個設けられた係合鉤孔１１ｃに合わせて係合位置を変更することによって棚板５の取り付け高さを変更することができる。
【００２２】
実験台１００はこのように構成され、実験台１００の横配線ダクト３には、実験台１００が設置される床面あるいは天井面から引き出された配線が配設される。
【００２３】
次に、該配線の配設方法について詳述する。
まず、実験台１００から、横配線ダクト３、中間棚４、カバー部材１２が取り外される。
そして、床面あるいは天井面から引き出された配線２００は、支柱脚１の配設溝１１１の下端面あるいは上端面の開口部より、配設溝１１１内に引き込まれる。
引き込まれた配線２００は、配設溝１１１内を上下方向に引き渡される。
そして、取り外されていたカバー部材１２が、前述のとおりの所定の位置に取り付けられ、この時、カバー部材１２のスリット孔１２ｂから、配設溝１１１内の配線２００が引き出される。
【００２４】
尚、スリット孔１２ｂは、カバー部材１２の側面（前後面）から切り欠かれることによって形成されているので、配線２００の先端がコンセントプラグなどの大きな形状であっても、カバー部材１２の側面から配線２００をスリット孔１２ｂに相通させるだけでいいので、スリット孔１２ｂは、コンセントプラグなどが通る大きな孔である必要がなく、配線２００のコード部分だけが通る程度の孔とすることができるので見栄えがよい。
【００２５】
次に、横配線ダクト３が、前述のとおりの所定の位置に取り付けられるが、この時、カバー部材１２のスリット孔１２ｂは、横配線ダクト３の開口部３１と高さが合うように設定されているため、横配線ダクト３の端面の開口部３１から、配設溝１１１内の配線２００が横配線ダクト３の内部に引き込まれ、横配線ダクト３に設置されるコンセント３３やスイッチ器具３４などの電気器具に接続される。
【００２６】
電気器具の使い勝手を考慮して、横配線ダクト３は、前述のとおり支柱本体１１に設けられた複数の螺孔１１ａを使用して、上下方向で取り付け高さを変更することができるが、この時、カバー部材１２のスリット孔１２ｂは、上下方向に長尺なスリット孔１２ｂに形成されているので、配設溝１１１内と横配線ダクト３を連通している配線２００は、連通状態のまま、横配線ダクト３を上下方向で取り付け高さを変更させても、配線２００はスリット孔１２ｂを上下方向に移動することができるので、横配線ダクト３を上下方向に移動させるたびに配線２００の引き込み作業をやり直す必要がない。
【００２７】
そして、前述のとおり、カバー部材１２の中間棚板受け用角孔１２ｃに棚受け金具４１が係合され、中間棚４が設置され、実験台として使用できる状態となる。
【００２８】
このように、カバー部材１２は、配設溝１１１のカバー機能、中間棚４の支持機能、横配線ダクト３への配線機能を兼ね備えているため、部品点数が少なくできコスト面、製造面、施工面での効率がよい。
【００２９】
支柱本体１１は、支柱脚１形態を取らなくとも、自立するデスクの上面に支柱本体１１を連結させることによって、実験台を形成してもよい。
この時、床面から引き出された配線２００は、一旦、デスクの脚体の内部に引き渡され、デスク上面から支柱本体１１の配設溝に引き込まれることとなる。
【産業上の利用可能性】
【００３０】
以上のように、本発明は、実験用や作業用の什器として広く利用することができる。
【符号の説明】
【００３１】
１                支柱脚
１ａ              配線空間
１１              支柱本体
１１１            配設溝
２                天板
３                横配線ダクト
３１              開口部
４                中間棚
５                棚板
１２              カバー体
１２ａ            鉤状係合孔
１２ｂ            スリット孔
１２ｃ            中間棚板受け用角孔
１００            実験台
２００            配線
【図１】
0006328544.tif 000002
【図２】
0006328544.tif 000003
【図３】
0006328544.tif 000004
【図４】
0006328544.tif 000005
【図５】
0006328544.tif 000006
【図６】
0006328544.tif 000007
【図７】
0006328544.tif 000008
【図８】
0006328544.tif 000009
【図９】
0006328544.tif 000010
【図１０】
0006328544.tif 000011
【図１１】
0006328544.tif 000012